(57)【要約】【課題】  特に角度の制限なしに両方向に自由に折畳むことができるピースと、複数のジグソーパズルの表面と裏面を展示することができる額縁を提供する。【解決手段】  夫々の一辺が棒状の連結部材を介して連結される第１ピース１１と第２ピース１２を有し、該第１ピース１１は、連結部材を軸として第２ピース１２に対して０から１８０度の角度範囲内で回転することができると共に、該第１ピース１１及び第２ピース１２における少なくとも１つの他辺に、他のピースと連結するためのΩ形の突起若しくはΩ形の凹溝が設けられることを特徴とする。【選択図】  図１６
2011512970.tif 000002
【特許請求の範囲】
【請求項１】
夫々の一辺が棒状の連結部材を介して連結される第１ピースと第２ピースを有し、該第１ピースは、連結部材を軸として第２ピースに対して０から１８０度の角度範囲内で回転することができると共に、該第１ピース及び第２ピースにおける少なくとも１つの他辺に、他のピースと連結するためのΩ形の突起若しくはΩ形の凹溝が設けられることを特徴とする折畳式ジグソーパズルピース。
【請求項２】
前記連結部材が柱部材であり、該柱部材の長手方向における側縁に前記第１ピース及び第２ピースが連結されると共に、該２つの連結部分に、長手方向断面から見たときに肉薄のネック部が形成されることを特徴とする請求項１に記載の折畳式ジグソーパズルピース。
【請求項３】
前記第１ピース及び第２ピースの表面と裏面における、前記柱部材と連結する部位に夫々傾斜面が設けられることを特徴とする請求項２に記載の折畳式ジグソーパズルピース。
【請求項４】
前記柱部材の厚みが、前記第１ピース及び第２ピースの厚みより薄く、該第１ピースが第２ピースに対して１８０度回転し、該第２ピースに折畳まれた状態では、該柱部材における少なくとも一部の部位が、該第１ピース及び第２ピースにおける傾斜面に当接されることを特徴とする請求項３に記載の折畳式ジグソーパズルピース。
【請求項５】
棒状の連結部材を軸として連結される複数の額縁を有し、その隣接するいずれの額縁も、互いに０から１８０度の角度範囲内に回転することができると共に、内側にジグソーパズルと連結するためのΩ形の突起若しくはΩ形の凹溝が設けられることを特徴とする折畳式ジグソーパズル用額縁。
【請求項６】
前記額縁は、ジグソーパズルピースを組み合わせてなるものであり、その内の隣接する２つの額縁に対応する端縁は、前記連結部材に連結される第１ピースと第２ピースから構成される複数のジグソーパズルピースを組み合わせてなり、更に、該連結部材は、それらのピースユニットと対応するように裁断され、該第１ピースは、連結部材を軸として第２ピースに対して０から１８０度の角度範囲内で回転することができると共に、該第１ピース及び第２ピースにおける他辺に、他のピースと連結するためのΩ形の突起若しくはΩ形の凹溝が設けられることを特徴とする請求項５に記載の折畳式ジグソーパズルピース。
【請求項７】
前記連結部材が柱部材であり、該柱部材の長手方向における側縁が前記第１ピース及び第２ピースに連結されると共に、該２つの連結部分に、長手方向断面から見たときに肉薄のネック部が形成されることを特徴とする請求項６に記載の折畳式ジグソーパズルピース。
【請求項８】
前記第１ピース及び第２ピースの表面と裏面における、前記柱部材と連結する部位に夫々傾斜面が設けられることを特徴とする請求項７に記載の折畳式ジグソーパズルピース。
【請求項９】
前記柱部材の厚みが、前記第１ピース及び第２ピースの厚みより薄く、該第１ピースが第２ピースに対して１８０度回転し、該第２ピースに折畳まれた状態では、該柱部材における少なくとも一部の部位が、該第１ピース及び第２ピースにおける傾斜面に当接されることを特徴とする請求項８に記載の折畳式ジグソーパズルピース。
【請求項１０】
前記額縁の数量が３つ以上であり、その内、任意の隣接する３つの額縁は、Z状に折畳まれることを特徴とする請求項５ないし９の何れか一項に記載の折畳式ジグソーパズルピース。
【発明の詳細な説明】
【技術分野】
【０００１】
本発明は、特にジグソーパズルに用いる、折畳式ジグソーパズルのピース及びジグソーパズル用額縁に関するものである。
【背景技術】
【０００２】
既存の平面式や立体式などのジグソーパズルは、絵柄や形状、難易度が異なる様々な種類が開発されているが、消費者の目を引き付けるためには、より斬新でデザイン性の優れたものを提供しなければならない。しかしながら、従来のジグソーパズルのピースは、構造上の原因によりデザイン性の向上が妨げられてしまっているのが現状である。
【発明の概要】
【発明が解決しようとする課題】
【０００３】
従来のジグソーパズルのピースには平面式と立体式とがあり、その内、一部の立体式のピースは、一方向に向かって所定の角度折畳むことができるが、このような従来のジグソーパズルは、表面のみに絵柄が印刷されていると共に、組み合わせた時の形状も決まっていることから、ピースの折畳角度が一定に制限されており、通常は９０度以内である。このように、従来のピースは、折畳み可能であるが、表面のみに絵柄が印刷され、組み合わせた時の形状が決まってるジグソーパズルにしか用いられないので、デザイン性に優れないという欠点があった。
【０００４】
また、平面式ジグソーパズルを入れるための従来の額縁は、一つのジグソーパズルしか入れることができないだけでなく、ジグソーパズルの裏面を展示したい時は、わざわざジグソーパズルを取り出してひっくり返してから額縁に入れ直さなければならないので、非常に不便であった。
【０００５】
そこで、出願されたのが本発明であって、角度の制限なしに両方向に自由に折畳むことができるピースと、該ピースを備えた、複数のジグソーパズルの表面と裏面を展示することができる額縁を提供することを目的としている。
【課題を解決するための手段】
【０００６】
本発明は上記の目的を達成するため、夫々の一辺が棒状の連結部材を介して連結される第１ピースと第２ピースを有し、該第１ピースは、連結部材を軸として第２ピースに対して０から１８０度の角度範囲内で回転することができると共に、該第１ピース及び第２ピースにおける少なくとも１つの他辺に、他のピースと連結するためのΩ形の突起若しくはΩ形の凹溝が設けられることを特徴とする折畳式ジグソーパズルピース、を提供するものである。このように、該ピースは、０から１８０度の角度範囲内で回転できることから、立体式ジグソーパズルの空間上のデザイン性を向上することができるばかりでなく、ピースの表面と裏面に異なる図柄を印刷することもできるので、本発明は、娯楽性及びデザイン性に優れている。
【０００７】
また、前記ジグソーピースは、立体式のジグソーパズルにだけでなく、平面式のジグソーパズルにも適用することができ、更に、本発明は、棒状の連結部材を軸として連結される複数の額縁を有し、その隣接するいずれの額縁も、互いに０から１８０度の角度範囲内に回転することができると共に、内側にジグソーパズルと連結するためのΩ形の突起若しくはΩ形の凹溝が設けられることを特徴とする折畳式ジグソーパズル用額縁を提供するものである。
【０００８】
また、前記額縁は、ジグソーパズルピースを組み合わせてなるものであり、その内の隣接する２つの額縁における対応する端縁は、前記連結部材に連結される第１ピースと第２ピースから構成される複数のジグソーパズルピースを組み合せてなり、更に、該連結部材は、それらのピースユニットと対応するように裁断され、該第１ピースは、連結部材を軸として第２ピースに対して０から１８０度の角度範囲内で回転することができると共に、該第１ピース及び第２ピースにおける他辺に、他のピースと連結するためのΩ形の突起若しくはΩ形の凹溝が設けられる。この構成によれば、前記額縁は、同時に複数の平面式ジグソーパズルと結合することができると共に、それらの平面式ジグソーパズルの表面若しくは裏面を展示することができ、更には折畳んで収納することもできる。例えば、数量が３つ以上である時は、任意の隣接する３つの額縁をZ状に折畳むことができるので、ジグソーパズルと結合した複数の額縁を、非常に小さく折畳むことができる。
【０００９】
また、前記連結部材は柱部材であることが好ましく、該柱部材の長手方向における側縁が前記第１ピース及び第２ピースと連結されると共に、該２つの連結部分に、長手方向断面から見たときに肉薄のネック部が形成されることが好ましい。
【００１０】
また、前記第１ピース及び第２ピースの表面と裏面における、前記柱部材と連結する部位に夫々傾斜面が設けられることが好ましい。
【００１１】
また、前記柱部材の厚みが、前記第１ピース及び第２ピースの厚みより薄く、該第１ピースが第２ピースに対して１８０度回転し、該第２ピースに折畳まれた状態では、該柱部材における少なくとも一部の部位が、該第１ピース及び第２ピースにおける傾斜面に当接されることが好ましい。
【発明の効果】
【００１２】
本発明のジグソーパズルピースは、立体式ジグソーパズルにも適用することができ、デザイン性に優れているので、ジグソーパズル製品の市場での競争力を高めることができる。また、同様の設計原理を有するジグソーパズル用額縁は、同時に複数のジグソーパズルの片面又は両面を展示することができると共に、折畳むこともできることから、収納や持ち運びが非常に便利であるので、本発明は、従来技術に比べてより高い娯楽性及び実用性を有している。
【図面の簡単な説明】
【００１３】
【図１】本発明に係るジグソーパズルピースの第１実施例の斜視図である。
【図２】本発明の図１の平面図である。
【図３】本発明の図１の折畳んだ状態を示す斜視図である。
【図４】本発明の図２の側面図である。
【図５】本発明の図３の側面図である。
【図６】本発明の図４におけるA部位の拡大図である。
【図７】本発明の図５におけるB部位の拡大図である。
【図８】本発明の第１実施例の折畳み操作を示す図である。
【図９】本発明に係るジグソーパズルピースの第２実施例の斜視図である。
【図１０】本発明に係るジグソーパズルピースの第３実施例の斜視図である。
【図１１】本発明に係るジグソーパズルピースの第４実施例の斜視図である。
【図１２】本発明に係るジグソーパズル用額縁の第１実施例の斜視図である。
【図１３】本発明の図１２のおける隣接する額縁と対応する端縁の平面図である。
【図１４】本発明の図１３の斜視図である。
【図１５】本発明の図１３の側面図である。
【図１６】本発明に係るジグソーパズル用額縁の第２実施例の折畳み操作を示す斜視図である。
【図１７】本発明に係るジグソーパズル用額縁の第２実施例の折畳んだ状態を示す正面図である。
【図１８】本発明の図１７の側面図である。
【図１９】本発明の図１７の立体図である。
【発明を実施するための形態】
【００１４】
以下、添付図面を参照して本発明の好適な実施の形態を詳細に説明する。
【００１５】
図１に示すように、本発明の折畳み可能なジグソーパズルピース１は、夫々の一辺が柱部材１３を介して連結される第１ピース１１と第２ピース１２を有し、図３に示すように、該第２ピース１２は、柱部材１３を軸として回転し、第１ピース１１へ折畳むことができる。図４及び図５に示すように、該２つのピースが互いに回転できる角度は、０から１８０度の角度範囲内であると共に、図８に示すように、２つの表面若しくは２つの裏面が接触するように折畳むことができる。
【００１６】
ピースと柱部材とが連結する部位の構造は、図６の拡大図からも明らかなように、柱部材１３の側縁がそれぞれ第１ピース１１及び第２ピース１２に連結されると共に、該２つの連結部分に、長手方向断面から見たときに肉薄のネック部１４が形成される。また、前記第１ピース１１及び第２ピース１２の表面と裏面における、柱部材１３と連結する部位に夫々傾斜面１１１が設けられると共に、該柱部材１３の厚みは、第１ピース及び第２ピースの厚みより薄くなっており、この構成によれば、２つのピースを表面若しくは裏面を接触するように１８０度回転させ、即ち第２ピース１２を第１ピース１１と平行するように回転させることができると共に、図７に示すように、第１ピース１１が第２ピース１２に対して１８０度回転し、第２ピース１２に折畳まれた状態では、該柱部材１３が少なくとも一部の部位が第１ピース１１及び第２ピース１２における傾斜面１１１に当接されて第１ピース１１及び第２ピース１２を支持するので、図３に示すように、第１ピース１１を第２ピース１２に精確に折畳むことができる。
【００１７】
図１に示すように、実施例１のジグソーパズルピース１の第１ピース１１及び第２ピース１２における、柱部材１３と垂直する側辺の一側が直線状を呈し、他側に他のピースと連結するためのΩ形の凹溝が形成され、更にジグソーパズルピース１の第１ピース１１及び第２ピース１２における、該柱部材と対向する側辺にそれぞれ、他のピースと連結するためのΩ形の突起が設けられる。
【００１８】
また、図９に示す実施例２においては、前記実施例１と異なり、Ω形の突起及び凹溝が他の位置に設けられ、ジグソーパズルピース２の第１ピース及び第２ピースにおける柱部材と垂直する両側辺に夫々、他のピースと連結するためのΩ形の凹溝が形成されると共に、該ジグソーパズルピース２の第１ピース及び第２ピースにおける、柱部材と対向する側辺にそれぞれ、他のピースと連結するためのΩ形の突起が設けられ、また、図１０に示す実施例３においては、ジグソーパズルピース３の第１ピース及び第２ピースにおける、柱部材と垂直する両側辺に夫々、他のピースと連結するためのΩ形の突起が設けられると共に、該ジグソーパズルピース３の第１ピース及び第２ピースにおける、柱部材と対向する側辺にそれぞれ、他のピースと連結するためのΩ形の凹溝が形成され、また、図１１に示す実施例４においては、ジグソーパズルピース４の第１ピース及び第２ピースにおける、柱部材と垂直する側辺の一側が直線状を呈し、他側に他のピースと連結するためのΩ形の突起が設けられ、更にジグソーパズルピース４の第１ピース及び第２ピースにおける、柱部材と対向する側辺にそれぞれ、他のピースと連結するためのΩ形の凹溝が形成される。
【００１９】
また、図１２に示すように、本発明は、前記のジグソーパズルピースに基づいて設計された折畳み可能なジグソーパズル用額縁を具備しており、その折畳み可能なジグソーパズル用額縁は、柱部材１３により連結される３つの額縁５１、５２、５３（額縁５３は一部のみ示す）を有し、その隣接するいずれの額縁も、互いに０から１８０度の角度範囲内に回転することができると共に、内側にジグソーパズル６１、６２，６３と連結するためのΩ形の突起若しくはΩ形の凹溝が設けられる。尚、ジグソーパズルを額縁に結合する方法としては、ジグソーパズルを組み合わせてから額縁に結合してもよいが、ジグソーパズルを額縁と一緒に組み合わせてもよく、組み合わせた状態は、ジグソーパズル６２と額縁５２に示すようである。
【００２０】
図１３に示すように、額縁は、ジグソーパズルピースを組み合わせてなり、特に隣接する２つの額縁における対応する端縁は、前記ジグソーパズルピース１、２、３、４を組み合わせてなると共に、該各ジグソーパズルピースは、柱部材１３に連結される第１ピースと第２ピースから構成され、更に、該柱部材１３は、それらのジグソーパズルピースに対応するように裁断されている。また、上記ジグソーパズルピース１の説明及び図１４、図１５からも明らかなように、該第１ピースは、柱部材１３を軸として第２ピースに対して０から１８０度の角度範囲内に回転することができる。
【００２１】
図１６に示すジグソーパズル用額縁の実施例においては、５つの額縁５１、５２、５３、５４、５５が順次に連結されると共に、対応する額縁にジグソーパズル６１、６２、６３、６４、６５が嵌合され、図１７ないし図１９に示すように、任意の隣接する３つの額縁をZ状に折畳めば、元来の５枚の額縁の体積を小さくすることができる。したがって、本発明は、展開時にジグソーパズルの表面と裏面を展示することができると共に、不使用時には、そのまま折畳めば簡単に収納又は持ち運ぶことができ、更には、独特な外観を有するので、消費者の目を引き付けることもできる。
【符号の説明】
【００２２】
１        ジグソーパズル
１１      第１ピース
１１１    傾斜面
１２      第２ピース
１３      柱部材
１４      ネック
２、３、４    ジグソーパズルピース
５１、５２、５３、５４、５５    額縁
６１、６２、６３、６４、６５    ジグソーパズル
【図１】
2011512970.tif 000003
【図２】
2011512970.tif 000004
【図３】
2011512970.tif 000005
【図４】
2011512970.tif 000006
【図５】
2011512970.tif 000007
【図６】
2011512970.tif 000008
【図７】
2011512970.tif 000009
【図８】
2011512970.tif 000010
【図９】
2011512970.tif 000011
【図１０】
2011512970.tif 000012
【図１１】
2011512970.tif 000013
【図１２】
2011512970.tif 000014
【図１３】
2011512970.tif 000015
【図１４】
2011512970.tif 000016
【図１５】
2011512970.tif 000017
【図１６】
2011512970.tif 000018
【図１７】
2011512970.tif 000019
【図１８】
2011512970.tif 000020
【図１９】
2011512970.tif 000021
【国際調査報告】
2011512970.tif 000022
2011512970.tif 000023
2011512970.tif 000024
2011512970.tif 000025
2011512970.tif 000026
2011512970.tif 000027